(57)【要約】【課題】少なくとも２以上の画像情報を扱う画像処理装置の処理効率を高めることができる。【解決手段】画像情報の受け付けを制御する画像受付制御部３０と、画像情報を記憶する記憶部５０と、画像情報の出力を制御する出力制御部６０とを備え、第１の画像情報または第２の画像情報の何れか一方の画像情報を、画像受付制御部３０から記憶部５０に転送し、転送した何れか一方の画像情報の他方の画像情報を、出力制御部６０を介して画像受付制御部３０から記憶部５０に転送する第１の転送経路で転送する。【選択図】図１
2008109291.tif 000002
【特許請求の範囲】
【請求項１】
画像情報の受け付けを制御する画像受付制御手段と、
前記画像情報を記憶する記憶手段と、
前記画像情報の出力を制御する出力制御手段とを備え、
第１の画像情報または第２の画像情報の何れか一方の画像情報を、前記画像受付制御手段から前記記憶手段に転送し、
前記転送した何れか一方の画像情報の他方の画像情報を、前記出力制御手段を介して前記画像受付制御手段から前記記憶手段に転送する第１の転送経路で転送すること
を特徴とする画像処理装置。
【請求項２】
画像情報の受け付けを制御する画像受付制御手段と、
前記画像情報を記憶する記憶手段と、
前記画像情報の出力を制御する出力制御手段と、
前記出力制御手段に制御され前記画像情報を印字する印字手段を備え、
第１の画像情報または第２の画像情報の何れか一方の画像情報を、前記画像受付制御手段から前記記憶手段に転送し、
前記転送した何れか一方の画像情報の他方の画像情報を、前記出力制御手段を介して前記画像受付制御手段から前記記憶手段に転送する第１の転送経路で転送を行い、
前記記憶した画像情報を前記印字手段で印字すること
を特徴とする画像形成装置。
【請求項３】
原稿の一方の面の第１の画像情報を読み取る、第１の画像読み取り手段と、原稿の他方の面の第２の画像情報を読み取る、第２の画像読み取り手段とからなる画像受付手段と、
前記画像受付手段を制御する画像受付制御手段と、
前記第１の画像情報または前記第２の画像情報のうち、少なくとも一方の画像情報を記憶する記憶手段と、
前記第１の画像情報または前記第２の画像情報のうち、少なくとも一方の画像情報の出力を制御する出力制御手段と、
前記画像受付手段が前記第１の画像情報と前記第２の画像情報を前記画像受付制御手段に転送する際に、前記第１の画像情報と前記第２の画像情報の何れか一方の画像情報の転送が行われている間に、前記第１の画像情報と前記第２の画像情報の他方の画像情報の転送が始まる場合に、
前記第１の画像情報または前記第２の画像情報の何れか一方の画像情報を、前記画像受付制御手段から前記記憶手段に転送し、
前記転送した何れか一方の画像情報の他方の画像情報を、前記出力制御手段を介して前記画像受付制御手段から前記記憶手段に転送する第１の転送経路で転送すること
を特徴とする画像処理装置。
【請求項４】
原稿の一方の面の第１の画像情報を読み取る、第１の画像読み取り手段と、原稿の他方の面の第２の画像情報を読み取る、第２の画像読み取り手段とからなる画像受付手段と、
前記画像受付手段を制御する画像受付制御手段と、
前記第１の画像情報または前記第２の画像情報のうち、少なくとも一方の画像情報を記憶する記憶手段と、
前記第１の画像情報または前記第２の画像情報のうち、少なくとも一方の画像情報の出力を制御する出力制御手段と、
前記出力制御手段に制御され前記画像情報を印字する印字手段を備え、
前記画像受付手段が前記第１の画像情報と前記第２の画像情報を前記画像受付制御手段に転送する際に、前記第１の画像情報と前記第２の画像情報の何れか一方の画像情報の転送が行われている間に、前記第１の画像情報と前記第２の画像情報の他方の画像情報の転送が始まる場合に、
第１の画像情報または第２の画像情報の何れか一方の画像情報を、前記画像受付制御手段から前記記憶手段に転送し、
前記転送した何れか一方の画像情報の他方の画像情報を、前記出力制御手段を介して前記画像受付制御手段から前記記憶手段に転送する第１の転送経路で転送を行い、
前記記憶した画像情報を前記印字手段で印字すること
を特徴とする画像形成装置。
【請求項５】
前記画像情報を受け付けた時間から当該画像情報を前記画像形成手段に出力するまでの時間を前記画像情報を受け付けた時間から前記第１の伝送経路を用いて記録した当該画像情報を前記画像形成手段に出力するまでの時間より短くする場合には、
前記第１の画像情報または前記第２の画像情報の何れか一方の画像情報を、前記出力制御手段を介して前記画像受付制御手段から前記印字手段に転送し、
前記転送した何れか一方の画像情報の他方の画像情報を前記画像受付制御手段から前記記憶手段に転送し、前記記憶手段から前記印字手段に転送すること
を特徴とする請求項２または４記載の画像形成装置。
【請求項６】
原稿の一方の面の第１の画像情報を読み取る、第１の画像読み取り手段と、原稿の他方の面の第２の画像情報を読み取る、第２の画像読み取り手段とからなる画像受付手段と、
前記画像受付手段を制御する画像受付制御手段と、
前記第１の画像情報または前記第２の画像情報のうち、少なくとも一方の画像情報を記憶する記憶手段と、
前記第１の画像情報または前記第２の画像情報のうち、少なくとも一方の画像情報の出力を制御する出力制御手段と、
前記画像受付制御手段と前記出力制御手段とを制御する制御手段と、
前記画像受付制御手段と前記制御手段とを接続する第１の情報伝送手段と、
前記画像受付制御手段と前記出力制御手段とを接続する第２の情報伝送手段と、
前記出力制御手段と前記制御手段とを接続する第３の情報伝送手段と、
前記制御手段と前記記憶手段を接続する第４の情報伝送手段とを備え、
前記画像受付手段が前記第１の画像情報と前記第２の画像情報を前記画像受付制御手段に転送する際に、前記第１の画像情報と前記第２の画像情報の何れか一方の画像情報の転送が行われている間に、前記第１の画像情報と前記第２の画像情報の他方の画像情報の転送が始まる場合に、
前記第１の画像情報または前記第２の画像情報の何れか一方の画像情報を、前記第１の情報伝送手段と前記第４の情報伝送手段とを介して前記画像受付制御手段から前記記憶手段に転送し、
前記転送した何れか一方の画像情報の他方の画像情報を、前記第２の情報伝送手段、前記出力制御手段と前記第３の情報伝送手段及び前記第４の情報伝送手段とを介して前記画像受付制御手段から前記記憶手段に転送する第１の転送経路で転送すること
を特徴とする画像処理装置。
【請求項７】
原稿の一方の面の第１の画像情報を読み取る、第１の画像読み取り手段と、原稿の他方の面の第２の画像情報を読み取る、第２の画像読み取り手段とからなる画像受付手段と、
前記画像受付手段を制御する画像受付制御手段と、
前記第１の画像情報または前記第２の画像情報のうち、少なくとも一方の画像情報を記憶する記憶手段と、
前記第１の画像情報または前記第２の画像情報のうち、少なくとも一方の画像情報の出力を制御する出力制御手段と、
前記画像受付制御手段と前記出力制御手段とを制御する制御手段と、
前記出力制御手段に制御され前記画像情報を印字する印字手段と、
前記画像受付制御手段と前記制御手段とを接続する第１の情報伝送手段と、
前記画像受付制御手段と前記出力制御手段とを接続する第２の情報伝送手段と、
前記出力制御手段と前記制御手段とを接続する第３の情報伝送手段と、
前記制御手段と前記記憶手段を接続する第４の情報伝送手段とを備え、
前記画像受付手段が前記第１の画像情報と前記第２の画像情報を前記画像受付制御手段に転送する際に、前記第１の画像情報と前記第２の画像情報の何れか一方の画像情報の転送が行われている間に、前記第１の画像情報と前記第２の画像情報の他方の画像情報の転送が始まる場合に、
前記第１の画像情報または前記第２の画像情報の何れか一方の画像情報を、前記第１の情報伝送手段と前記第４の情報伝送手段とを介して前記画像受付制御手段から前記記憶手段に転送し、
前記転送した何れか一方の画像情報の他方の画像情報を、前記第２の情報伝送手段、前記出力制御手段と前記第３の情報伝送手段及び前記第４の情報伝送手段とを介して前記画像受付制御手段から前記記憶手段に転送する第１の転送経路で転送を行い、
前記記憶した画像情報を前記印字手段で印字すること
を特徴とする画像形成装置。
【請求項８】
前記画像情報を受け付けた時間から当該画像情報を前記画像形成手段に出力するまでの時間を前記画像情報を受け付けた時間から前記第１の伝送経路を用いて記録した当該画像情報を前記画像形成手段に出力するまでの時間より短くする場合には、
前記第１の画像情報または前記第２の画像情報の何れか一方の画像情報を、前記第２の情報伝送手段及び前記出力制御手段を介して前記画像受付制御手段から前記印字手段に転送し、
前記転送した何れか一方の画像情報の他方の画像情報を、前記第１の情報伝送手段と前記第４の情報伝送手段とを介して前記画像受付制御手段から前記記憶手段に転送し、前記記憶手段から前記印字手段に転送すること
を特徴とする請求項７記載の画像形成装置。
【請求項９】
前記制御手段は前記第１の画像情報の情報量と前記第２の画像情報の情報量の和が前記第１の情報伝送手段の情報伝送容量より大きい場合に、前記第１の転送経路で前記第１の画像情報及び前記第２画像情報を伝送すること
を特徴とする請求項６記載の画像処理装置。
【請求項１０】
前記制御手段は前記第１の画像情報の情報量と前記第２の画像情報の情報量の和が前記第１の情報伝送手段の情報伝送容量より大きい場合に、前記第１の転送経路で前記第１の画像情報及び前記第２画像情報を伝送すること
を特徴とする請求項７記載の画像形成装置。
【請求項１１】
前記第４の情報伝送手段の情報伝送容量は、前記第１の情報伝送手段の情報伝送容量及び前記第３の情報伝送手段の情報伝送容量より大きいこと
を特徴とする請求項６記載の画像処理装置。
【請求項１２】
前記第４の情報伝送手段の情報伝送容量は、前記第１の情報伝送手段の情報伝送容量及び前記第３の情報伝送手段の情報伝送容量より大きいこと
特徴とする請求項７記載の画像形成装置。
【請求項１３】
前記第１の画像情報または前記第２の画像情報のうち、当該画像情報を１部出力する設定にされている場合に、
前記記憶手段に当該画像情報を記憶しないで前記印字手段に出力すること
を特徴とする請求項２、４、５、７、８、１０または１２記載の画像形成装置。
【請求項１４】
プログラムにより動作する画像形成装置に、
画像受付制御手段に画像情報の受け付けを制御させ、
記憶手段に前記画像情報を記憶させ、
出力制御手段に前記画像情報の出力を制御させ、
第１の画像情報または第２の画像情報の何れか一方の画像情報を、前記画像受付制御手段から前記記憶手段に転送させ、
前記転送した何れか一方の画像情報の他方の画像情報を、前記出力制御手段を介して前記画像受付制御手段から前記記憶手段に転送させる第１の転送経路で転送させ、
前記出力制御手段に制御される印字手段に、前記記憶させた画像情報を印字させること
を特徴とするプログラム。
【請求項１５】
前記画像情報を受け付けた時間から当該画像情報を前記画像形成手段に出力させるまでの時間を前記画像情報を受け付けた時間から前記第１の伝送経路を用いて記録した当該画像情報を前記画像形成手段に出力させるまでの時間より短くする場合には、
前記第１の画像情報または前記第２の画像情報の何れか一方の画像情報を、前記出力制御手段を介して前記画像受付制御手段から前記印字手段に転送させ、
前記転送させた何れか一方の画像情報の他方の画像情報を前記画像受付制御手段から前記記憶手段に転送させ、前記記憶手段から前記印字手段に転送させること
を特徴とする請求項１４記載のプログラム。
【請求項１６】
プログラムにより動作する画像形成装置に、
画像受付手段の第１の画像読み取り手段に原稿の一方の面の第１の画像情報を読み取らせ、
前記画像受付手段の第２の画像読み取り手段に原稿の他方の面の第２の画像情報を読み取らせ、
画像受付制御手段に前記画像受付手段を制御させ、
記憶手段に前記第１の画像情報または前記第２の画像情報のうち、少なくとも一方の画像情報を記憶させ、
出力制御手段に前記第１の画像情報または前記第２の画像情報のうち、少なくとも一方の画像情報の出力を制御させ、
制御手段に前記画像受付制御手段と前記出力制御手段とを制御させ、
前記画像受付手段に前記第１の画像情報と前記第２の画像情報を前記画像受付制御手段に転送させる際に、前記第１の画像情報と前記第２の画像情報の何れか一方の画像情報の転送が行われている間に、前記第１の画像情報と前記第２の画像情報の他方の画像情報の転送が始まる場合に、
前記第１の画像情報または前記第２の画像情報の何れか一方の画像情報を、前記制御手段を介して前記画像受付制御手段から前記記憶手段に転送させ、
前記転送した何れか一方の画像情報の他方の画像情報を、前記出力制御手段と前記制御手段とを介して前記画像受付制御手段から前記記憶手段に転送する第１の転送経路で転送させ、
前記出力制御手段に制御される印字手段に、前記記憶させた画像情報を印字させること
を特徴とするプログラム。
【請求項１７】
前記画像情報を受け付けた時間から当該画像情報を前記画像形成手段に出力させるまでの時間を前記画像情報を受け付けた時間から前記第１の伝送経路を用いて記録した当該画像情報を前記画像形成手段に出力させるまでの時間より短くする場合には、
前記第１の画像情報または前記第２の画像情報の何れか一方の画像情報を、前記出力制御手段を介して前記画像受付制御手段から前記印字手段に転送させ、
前記転送させた何れか一方の画像情報の他方の画像情報を前記制御手段を介して前記画像受付制御手段から前記記憶手段に転送させ、前記記憶手段から前記印字手段に転送させること
を特徴とする請求項１６記載のプログラム。
【請求項１８】
前記第１の画像情報または前記第２の画像情報のうち、当該画像情報を１部出力する設定にされている場合に、
前記記憶手段に当該画像情報を記憶させないで前記印字手段に出力させること
を特徴とする請求項１４〜１７のいずれか記載のプログラム。
【発明の詳細な説明】
【技術分野】
【０００１】
本発明は、画像処理装置、画像形成装置およびプログラムに関する。
【背景技術】
【０００２】
原稿の両面を２つの画像読み取り手段で読み取り、それらの画像データに適当な画像処理を施し、それを出力（例えば印刷や画像データとして通信回線や電子記録媒体に出力）する機能を有している画像処理装置が知られている。このような画像処理装置は、原稿の両面を２つの画像読み取り手段で読み取り、それらの画像データを記憶する記憶手段に転送している。これらの技術については、例えば特許文献１〜５に記載されている。
【０００３】
【特許文献１】特開２００５−２４２９１７
【特許文献２】特開２００５−２６０８４４
【特許文献３】特開２００５−２６０８４５
【特許文献４】特開２００５−２６０８４６
【特許文献５】特開平８−６５４５４
【発明の開示】
【発明が解決しようとする課題】
【０００４】
本発明は、少なくとも２以上の画像情報を扱う画像処理装置の処理効率を高めることができる技術を提供することを目的とする。
【課題を解決するための手段】
【０００５】
請求項１に記載の発明は、画像情報の受け付けを制御する画像受付制御手段と、画像情報を記憶する記憶手段と、画像情報の出力を制御する出力制御手段とを備え、第１の画像情報または第２の画像情報の何れか一方の画像情報を、画像受付制御手段から記憶手段に転送し、転送した何れか一方の画像情報の他方の画像情報を、出力制御手段を介して画像受付制御手段から記憶手段に転送する第１の転送経路で転送することを特徴とする画像処理装置である。
【０００６】
請求項２に記載の発明は、画像情報の受け付けを制御する画像受付制御手段と、画像情報を記憶する記憶手段と、画像情報の出力を制御する出力制御手段と、出力制御手段に制御され画像情報を印字する印字手段を備え、第１の画像情報または第２の画像情報の何れか一方の画像情報を、画像受付制御手段から記憶手段に転送し、転送した何れか一方の画像情報の他方の画像情報を、出力制御手段を介して画像受付制御手段から記憶手段に転送する第１の転送経路で転送を行い、記憶した画像情報を印字手段で印字することを特徴とする画像形成装置である。
【０００７】
請求項３に記載の発明は、原稿の一方の面の第１の画像情報を読み取る、第１の画像読み取り手段と、原稿の他方の面の第２の画像情報を読み取る、第２の画像読み取り手段とからなる画像受付手段と、画像受付手段を制御する画像受付制御手段と、第１の画像情報または第２の画像情報のうち、少なくとも一方の画像情報を記憶する記憶手段と、第１の画像情報または第２の画像情報のうち、少なくとも一方の画像情報の出力を制御する出力制御手段と、画像受付手段が第１の画像情報と第２の画像情報を画像受付制御手段に転送する際に、第１の画像情報と第２の画像情報の何れか一方の画像情報の転送が行われている間に、第１の画像情報と第２の画像情報の他方の画像情報の転送が始まる場合に、第１の画像情報または第２の画像情報の何れか一方の画像情報を、画像受付制御手段から記憶手段に転送し、転送した何れか一方の画像情報の他方の画像情報を、出力制御手段を介して画像受付制御手段から記憶手段に転送する第１の転送経路で転送することを特徴とする画像処理装置である。
【０００８】
請求項４に記載の発明は、原稿の一方の面の第１の画像情報を読み取る、第１の画像読み取り手段と、原稿の他方の面の第２の画像情報を読み取る、第２の画像読み取り手段とからなる画像受付手段と、画像受付手段を制御する画像受付制御手段と、第１の画像情報または第２の画像情報のうち、少なくとも一方の画像情報を記憶する記憶手段と、第１の画像情報または第２の画像情報のうち、少なくとも一方の画像情報の出力を制御する出力制御手段と、出力制御手段に制御され画像情報を印字する印字手段を備え、画像受付手段が第１の画像情報と第２の画像情報を画像受付制御手段に転送する際に、第１の画像情報と第２の画像情報の何れか一方の画像情報の転送が行われている間に、第１の画像情報と第２の画像情報の他方の画像情報の転送が始まる場合に、第１の画像情報または第２の画像情報の何れか一方の画像情報を、画像受付制御手段から記憶手段に転送し、転送した何れか一方の画像情報の他方の画像情報を、出力制御手段を介して画像受付制御手段から記憶手段に転送する第１の転送経路で転送を行い、記憶した画像情報を印字手段で印字することを特徴とする画像形成装置である。
【０００９】
請求項５に記載の発明は、請求項２または４記載の発明において、画像情報を受け付けた時間から当該画像情報を画像形成手段に出力するまでの時間を画像情報を受け付けた時間から第１の伝送経路を用いて記録した当該画像情報を画像形成手段に出力するまでの時間より短くする場合には、第１の画像情報または第２の画像情報の何れか一方の画像情報を、出力制御手段を介して画像受付制御手段から印字手段に転送し、転送した何れか一方の画像情報の他方の画像情報を画像受付制御手段から記憶手段に転送し、記憶手段から印字手段に転送することを特徴とする。
【００１０】
請求項６に記載の発明は、原稿の一方の面の第１の画像情報を読み取る、第１の画像読み取り手段と、原稿の他方の面の第２の画像情報を読み取る、第２の画像読み取り手段とからなる画像受付手段と、画像受付手段を制御する画像受付制御手段と、第１の画像情報または第２の画像情報のうち、少なくとも一方の画像情報を記憶する記憶手段と、第１の画像情報または第２の画像情報のうち、少なくとも一方の画像情報の出力を制御する出力制御手段と、画像受付制御手段と出力制御手段とを制御する制御手段と、画像受付制御手段と制御手段とを接続する第１の情報伝送手段と、画像受付制御手段と出力制御手段とを接続する第２の情報伝送手段と、出力制御手段と制御手段とを接続する第３の情報伝送手段と、制御手段と記憶手段を接続する第４の情報伝送手段とを備え、画像受付手段が第１の画像情報と第２の画像情報を画像受付制御手段に転送する際に、第１の画像情報と第２の画像情報の何れか一方の画像情報の転送が行われている間に、第１の画像情報と第２の画像情報の他方の画像情報の転送が始まる場合に、第１の画像情報または第２の画像情報の何れか一方の画像情報を、第１の情報伝送手段と第４の情報伝送手段とを介して画像受付制御手段から記憶手段に転送し、転送した何れか一方の画像情報の他方の画像情報を、第２の情報伝送手段、出力制御手段と第３の情報伝送手段及び第４の情報伝送手段とを介して画像受付制御手段から記憶手段に転送する第１の転送経路で転送することを特徴とする画像処理装置である。
【００１１】
請求項７に記載の発明は、原稿の一方の面の第１の画像情報を読み取る、第１の画像読み取り手段と、原稿の他方の面の第２の画像情報を読み取る、第２の画像読み取り手段とからなる画像受付手段と、画像受付手段を制御する画像受付制御手段と、第１の画像情報または第２の画像情報のうち、少なくとも一方の画像情報を記憶する記憶手段と、第１の画像情報または第２の画像情報のうち、少なくとも一方の画像情報の出力を制御する出力制御手段と、画像受付制御手段と出力制御手段とを制御する制御手段と、出力制御手段に制御され画像情報を印字する印字手段と、画像受付制御手段と制御手段とを接続する第１の情報伝送手段と、画像受付制御手段と出力制御手段とを接続する第２の情報伝送手段と、出力制御手段と制御手段とを接続する第３の情報伝送手段と、制御手段と記憶手段を接続する第４の情報伝送手段とを備え、画像受付手段が第１の画像情報と第２の画像情報を画像受付制御手段に転送する際に、第１の画像情報と第２の画像情報の何れか一方の画像情報の転送が行われている間に、第１の画像情報と第２の画像情報の他方の画像情報の転送が始まる場合に、第１の画像情報または第２の画像情報の何れか一方の画像情報を、第１の情報伝送手段と第４の情報伝送手段とを介して画像受付制御手段から記憶手段に転送し、転送した何れか一方の画像情報の他方の画像情報を、第２の情報伝送手段、出力制御手段と第３の情報伝送手段及び第４の情報伝送手段とを介して画像受付制御手段から記憶手段に転送する第１の転送経路で転送を行い、記憶した画像情報を印字手段で印字することを特徴とする画像形成装置である。
【００１２】
請求項８に記載の発明は、請求項７記載の発明において、画像情報を受け付けた時間から当該画像情報を画像形成手段に出力するまでの時間を画像情報を受け付けた時間から第１の伝送経路を用いて記録した当該画像情報を画像形成手段に出力するまでの時間より短くする場合には、第１の画像情報または第２の画像情報の何れか一方の画像情報を、第２の情報伝送手段及び出力制御手段を介して画像受付制御手段から印字手段に転送し、転送した何れか一方の画像情報の他方の画像情報を、第１の情報伝送手段と第４の情報伝送手段とを介して画像受付制御手段から記憶手段に転送し、記憶手段から印字手段に転送することを特徴とする。
【００１３】
請求項９に記載の発明は、請求項６記載の発明において、制御手段は第１の画像情報の情報量と第２の画像情報の情報量の和が第１の情報伝送手段の情報伝送容量より大きい場合に、第１の転送経路で第１の画像情報及び第２画像情報を伝送することを特徴とする。
【００１４】
請求項１０に記載の発明は、請求項７記載の発明において、制御手段は第１の画像情報の情報量と第２の画像情報の情報量の和が第１の情報伝送手段の情報伝送容量より大きい場合に、第１の転送経路で第１の画像情報及び第２画像情報を伝送することを特徴とする。
【００１５】
請求項１１に記載の発明は、請求項６記載の発明において、第４の情報伝送手段の情報伝送容量は、第１の情報伝送手段の情報伝送容量及び第３の情報伝送手段の情報伝送容量より大きいことを特徴とする。
【００１６】
請求項１２に記載の発明は、請求項７記載の発明において、第４の情報伝送手段の情報伝送容量は、第１の情報伝送手段の情報伝送容量及び第３の情報伝送手段の情報伝送容量より大きいことを特徴とする。
【００１７】
請求項１３に記載の発明は、請求項２、４、５、７、８、１０または１２記載の発明において、第１の画像情報または第２の画像情報のうち、当該画像情報を１部出力する設定にされている場合に、記憶手段に当該画像情報を記憶しないで印字手段に出力することを特徴とする。
【００１８】
請求項１４に記載の発明は、プログラムにより動作する画像形成装置に、画像受付制御手段に画像情報の受け付けを制御させ、記憶手段に画像情報を記憶させ、出力制御手段に画像情報の出力を制御させ、第１の画像情報または第２の画像情報の何れか一方の画像情報を、画像受付制御手段から記憶手段に転送させ、転送した何れか一方の画像情報の他方の画像情報を、出力制御手段を介して画像受付制御手段から記憶手段に転送させる第１の転送経路で転送させ、出力制御手段に制御される印字手段に、記憶させた画像情報を印字させることを特徴とするプログラムである。
【００１９】
請求項１５に記載の発明は、請求項１４記載の発明において、画像情報を受け付けた時間から当該画像情報を画像形成手段に出力させるまでの時間を画像情報を受け付けた時間から第１の伝送経路を用いて記録した当該画像情報を画像形成手段に出力させるまでの時間より短くする場合には、第１の画像情報または第２の画像情報の何れか一方の画像情報を、出力制御手段を介して画像受付制御手段から印字手段に転送させ、転送させた何れか一方の画像情報の他方の画像情報を画像受付制御手段から記憶手段に転送させ、記憶手段から印字手段に転送させることを特徴とする。
【００２０】
請求項１６に記載の発明は、プログラムにより動作する画像形成装置に、画像受付手段の第１の画像読み取り手段に原稿の一方の面の第１の画像情報を読み取らせ、画像受付手段の第２の画像読み取り手段に原稿の他方の面の第２の画像情報を読み取らせ、画像受付制御手段に画像受付手段を制御させ、記憶手段に第１の画像情報または第２の画像情報のうち、少なくとも一方の画像情報を記憶させ、出力制御手段に第１の画像情報または第２の画像情報のうち、少なくとも一方の画像情報の出力を制御させ、制御手段に画像受付制御手段と出力制御手段とを制御させ、画像受付手段に第１の画像情報と第２の画像情報を画像受付制御手段に転送させる際に、第１の画像情報と第２の画像情報の何れか一方の画像情報の転送が行われている間に、第１の画像情報と第２の画像情報の他方の画像情報の転送が始まる場合に、第１の画像情報または第２の画像情報の何れか一方の画像情報を、制御手段を介して画像受付制御手段から記憶手段に転送させ、転送した何れか一方の画像情報の他方の画像情報を、出力制御手段と制御手段とを介して画像受付制御手段から記憶手段に転送する第１の転送経路で転送させ、出力制御手段に制御される印字手段に、記憶させた画像情報を印字させることを特徴とするプログラムである。
【００２１】
請求項１７に記載の発明は、請求項１６記載の発明において、画像情報を受け付けた時間から当該画像情報を画像形成手段に出力させるまでの時間を画像情報を受け付けた時間から第１の伝送経路を用いて記録した当該画像情報を画像形成手段に出力させるまでの時間より短くする場合には、第１の画像情報または第２の画像情報の何れか一方の画像情報を、出力制御手段を介して画像受付制御手段から印字手段に転送させ、転送させた何れか一方の画像情報の他方の画像情報を制御手段を介して画像受付制御手段から記憶手段に転送させ、記憶手段から印字手段に転送させることを特徴とする。
【００２２】
請求項１８に記載の発明は、請求項１４〜１７のいずれか記載の発明において、第１の画像情報または第２の画像情報のうち、当該画像情報を１部出力する設定にされている場合に、記憶手段に当該画像情報を記憶させないで印字手段に出力させることを特徴とする。
【発明の効果】
【００２３】
請求項１に記載の発明によれば、請求項１に記載の発明を採用しない場合に比べて、少なくとも２つの画像情報を扱う画像処理装置の処理効率を高めることができる。
【００２４】
請求項２に記載の発明によれば、請求項２に記載の発明を採用しない場合に比べて、少なくとも２つの画像情報を扱う画像形成装置の処理効率を高めることができる。
【００２５】
請求項３に記載の発明によれば、請求項３に記載の発明を採用しない場合に比べて、少なくとも２つの原稿の両面の画像情報を扱う画像処理装置の処理効率を高めることができる。
【００２６】
請求項４に記載の発明によれば、請求項４に記載の発明を採用しない場合に比べて、原稿の両面の画像情報を扱う画像形成装置の処理効率を高めることができる。
【００２７】
請求項５に記載の発明によれば、請求項５に記載の発明を採用しない場合に比べて、少なくとも２つの画像情報を扱う画像形成装置の処理効率を高めることができる。
【００２８】
請求項６に記載の発明によれば、請求項６に記載の発明を採用しない場合に比べて、原稿の両面の画像情報を扱う画像処理装置の処理効率を高めることができる。
【００２９】
請求項７に記載の発明によれば、請求項７に記載の発明を採用しない場合に比べて、原稿の両面の画像情報を扱う画像形成装置の処理効率を高めることができる。
【００３０】
請求項８に記載の発明によれば、請求項８に記載の発明を採用しない場合に比べて、原稿の両面の画像情報を扱う画像形成装置の処理効率を高めることができる。
【００３１】
請求項９に記載の発明によれば、請求項９に記載の発明を採用しない場合に比べて、画像情報の情報量に応じて、情報伝送手段の利用効率を高めることができる。
【００３２】
請求項１０に記載の発明によれば、請求項１０に記載の発明を採用しない場合に比べて、画像情報の情報量に応じて、情報伝送手段の利用効率を高めることができる。
【００３３】
請求項１１に記載の発明によれば、請求項１１に記載の発明を採用しない場合に比べて、原稿の両面の画像情報を扱う画像処理装置の処理効率を高めることができる。
【００３４】
請求項１２に記載の発明によれば、請求項１２に記載の発明を採用しない場合に比べて、原稿の両面の画像情報を扱う画像形成装置の処理効率を高めることができる。
【００３５】
請求項１３に記載の発明によれば、請求項１３に記載の発明を採用しない場合に比べて、１部目を早く出力することができる。
【００３６】
請求項１４に記載の発明によれば、請求項１４に記載の発明を採用しない場合に比べて、少なくとも２つの画像情報を扱う画像形成装置の処理効率を高めることができる。
【００３７】
請求項１５に記載の発明によれば、請求項１５に記載の発明を採用しない場合に比べて、少なくとも２つの画像情報を扱う画像形成装置の処理効率を高めることができる。
【００３８】
請求項１６に記載の発明によれば、請求項１６に記載の発明を採用しない場合に比べて、原稿の両面の画像情報を扱う画像形成装置の処理効率を高めることができる。
【００３９】
請求項１７に記載の発明によれば、請求項１７に記載の発明を採用しない場合に比べて、原稿の両面の画像情報を扱う画像処理装置の処理効率を高めることができる。
【００４０】
請求項１８に記載の発明によれば、請求項１８に記載の発明を採用しない場合に比べて、１部目を早く出力することができる。
【発明を実施するための最良の形態】
【００４１】
（１）第１の実施形態
(構成)
図１は、発明を利用した画像処理装置の一例を示すブロック図である。図１には、画像処理装置１０が示されている。画像処理装置１０は、原稿の両面を２つの画像読み取り手段で読み取り、それらの画像データに適当な画像処理を施し、それを出力する機能を有している。なお、画像データとして通信回線や電子記録媒体に出力する場合が画像処理装置の一例であり、印字する場合、すなわち印刷する場合が画像形成装置の一例である。
【００４２】
画像処理装置１０は、画像受付部２０、受付制御部３０、制御部４０、記憶部５０、出力制御部６０、および画像出力部７０を備えている画像処理装置である。そして、画像受付部２０と受付制御部３０は第１受付バス８１で接続されており、受付制御部３０と制御部４０は第１の情報伝送手段である第２受付バス８２で接続されており、制御部４０と記憶部５０は第４の情報伝送手段である接続バス８３により接続されている。
【００４３】
また、出力制御部６０と画像出力部７０は第１出力バス８４により接続されており、制御部４０と出力制御部６０は第３の情報伝送手段である第２出力バス８５により接続されており、受付制御部３０と出力制御部６０は第２の情報伝送手段であるダイレクトバス８６により接続されている。これらのバスは、パラレル伝送ケーブル、シリアル伝送ケーブルあるいは光ケーブル等により構成される。また、これらのバスのバス幅は少なくとも片面の画像データを伝送することができる伝送容量を有している。さらに、接続バス８３の伝送容量は、第２受付バス８２および第２出力バス８５の伝送容量より大きい。
【００４４】
画像受付部２０は、第１および第２の画像読み取り手段である２つのＣＣＤ(charge coupled devices)２１および２２で原稿の両面の画像を光学的に読み取り、画像生成部２３で両面の画像データを生成し転送する画像受付手段である。この例において、画像受付部２０は、原稿の表面および裏面の画像を一動作で読み取り両面の画像データを生成し、第１受付バス８１を介して受付制御部３０に画像データを転送する機能を有している。
【００４５】
この画像受付部２０による画像データの転送方法は、原稿の表面または裏面の画像データの一方の面の画像データを転送しているときに、他方の面の画像データを転送することもできるし、一方の面の画像データを転送した後に他方の面の画像データを転送することもできる。
【００４６】
受付制御部３０は、所定の画像データをバッファリングできる図示省略したバッファメモリを備えている受付制御手段である。受付制御部３０は、画像受付部２０の動作を制御し、画像受付部２０から転送された画像データを第２受付バス８２またはダイレクトバス８６を介して制御部４０または出力制御部６０に転送する。受付制御部３０はコントローラデバイス等で構成される。
【００４７】
このとき、受付制御部３０には、画像受付部２０から一方の面の画像データが転送されているときに、他方の面の画像データが転送されてくることもあるし、一方の面の画像データが転送された後に他方の面の画像データが転送されてくることもある。一方、受付制御部３０は、一方の面の画像データを転送しているときに、他方の面の画像データを転送することもできるし、一方の面の画像データを転送した後に他方の面の画像データを転送することもできる。
【００４８】
制御部４０は、受付制御部３０および出力制御部６０を制御し、制御部４０へ転送された画像データに対して各種の画像処理を行う機能を有する制御手段である。制御部４０は、制御部４０に転送された画像データを接続バス８３または第２出力バス８５を介して、画像データを記憶部５０または出力制御部６０に転送する。
【００４９】
このとき、制御部４０には、受付制御部３０から一方の面の画像データが転送されているときに、他方の面の画像データを転送されてくることもあるし、一方の面の画像データが転送された後に他方の面の画像データが転送されてくることもある。なお、制御部４０の詳細については後述する。
【００５０】
記憶部５０は、制御部４０から転送された画像データを記憶する記憶手段である。記憶部５０は、画像処理がされた画像データを記憶することもあるし、画像処理がされていない画像データを記憶することもある。記憶部５０は、ＨＤＤ(hard disk drive)等により構成される。
【００５１】
出力制御部６０は、所定の画像データをバッファリングできる図示省略したバッファメモリを備えており、画像出力部７０の動作を制御する出力制御手段である。また、出力制御部６０は、受付制御部３０から転送された画像データを制御部４０または画像出力部７０のうち少なくとも一方に転送する。一方、制御部４０から転送された画像データを画像出力部７０に転送する。画像出力部７０は、出力制御部６０から転送された画像データを印刷物として印刷して出力する機能、画像通信回線に出力する機能、あるいは電子記録媒体に出力する機能、これら機能の複数を備えた機能を有する印字手段である。画像出力部はビデオデバイス等により構成される。
【００５２】
図２は、制御部４０の概要を示すブロック図である。制御部４０は、ＣＰＵ(central processing unit)４１、ＲＯＭ(read only memory)４２、ＲＡＭ(random access memory)４３、画像処理部４４およびインターフェース部４５を備えている。制御部４０は、出力時期の調整、第２受付バス８２で転送が可能か否かの判定、転送モード（転送経路）の選択を行っている。
【００５３】
ＣＰＵ４１は、受付制御部３０および出力制御部６０を制御し、後述する動作手順を実行する機能を有する。ＲＯＭ４２は、後述する動作手順を実行するための動作プログラムおよびその動作に必要なデータが記憶されている。このデータの中には、後述する動作手順において利用される選択条件も含まれる。
【００５４】
ＲＡＭ４３は、後述する動作手順の実行時において、プログラムデータや各種のデータを一時的に記憶するワーキングエリア、後述する動作手順において得られる各種のデータを記憶する記憶手段として機能する。ＲＡＭ４３には、不揮発性メモリも含まれており、必要なデータは、電源をＯＦＦにしても保持される。
【００５５】
画像処理部４４は、図１の画像生成部２３により生成された画像データに対して各種の画像処理を行う。この画像処理には、色変換処理、解像度変換処理、拡大縮小処理、フィルタリング処理等が含まれる。インターフェース部４５は、必要なデータを制御部４０内に取り込み、ＣＰＵ４１において実行された処理の結果を図１の受付制御部３０および出力制御部６０に出力する。また、図１の画像生成部２３により生成された画像データを制御部４０内に取り込み、画像データを図１の記憶部５０および出力制御部６０に出力する。
【００５６】
（動作例）
図３は、図１に示す構成を備えた画像処理装置の転送モード選択処理手順の一例を示すフローチャートである。図３のフローチャートに示す処理の手順を実行するための動作プログラムは、図２のＲＯＭ４２に記憶されている。この転送モード選択処理は、転送経路を選択する処理である。
【００５７】
この例においては、転送モード選択の処理が開始されると（ステップＳ３０１）、両面の画像データがあるか否か、を判定する処理が実行される（ステップＳ３０２）。片面しか画像データがなければ、受付バス使用転送モードにする設定を行い（ステップＳ３０３）、転送モード選択の処理が終了する（ステップＳ３１３）。ここで、受付バス使用転送モードについて図４を用いて説明する。図４は、受付バス転送使用モードの一例を示す概念図である。まず、画像受付部２０により生成された片面の画像データは、第１受付バス８１を介して転送される。
【００５８】
そして、受付制御部３０に転送された画像データは、第２受付バス８２を介して制御部４０に転送される。その後、制御部４０に転送された画像データは、画像処理部４４で画像処理され記憶部５０に記憶される。次に、その記憶部５０に記憶された画像データは、第２出力バス８５、出力制御部６０および第１出力バス８４を介して画像出力部７０に転送され出力される。
【００５９】
一方、両面の画像データがあれば、ステップＳ３０４に進む。ステップＳ３０４においては、図示省略した設定装置で設定された画像処理モードを判定する処理が実行される。この画像処理モードの種類には、コピーモードとスキャンモードがある。ここで、コピーモードとは、画像受付部２０で生成された両面の画像データを画像出力部７０から出力させることである。一方、スキャンモードとは、画像受付部２０で生成された両面の画像データを画像出力部７０から出力させないで、記憶部５０に記憶しておくことである。
【００６０】
画像処理モードがスキャンモードに設定されていれば、出力バス使用転送モードにする設定を行い（ステップＳ３０５）、転送モード選択の処理が終了する（ステップＳ３１３）。ここで、出力バス使用転送モードについて図５を用いて説明する。図５は、出力バス使用転送モードの一例を示す概念図である。まず、画像受付部２０により生成された両面の画像データは、第１受付バス８１を介して一方の面の画像データが受付制御部３０に転送されているときに、第１受付バス８１を介して他方の面の画像データも受付制御部３０に転送される。
【００６１】
そして、受付制御部３０に転送された一方の面の画像データは、第２受付バス８２を介して制御部４０に転送される。一方、受付制御部３０に転送された他方の面の画像データは、ダイレクトバス８６、出力制御部６０および第２出力バス８５を介して制御部４０に転送される。その後、制御部４０に転送された両面の画像データは、画像処理部４４で画像処理され記憶部５０に記憶される。
【００６２】
一方、画像処理モードがコピーモードに設定されていれば、ステップＳ３０６に進む。ステップＳ３０６においては、図示省略した設定装置で設定する出力部数が１部であるか否か、を判定する処理が実行される。ここで、出力部数の設定には１部や１０部などの設定があり、３枚の原稿で１部とすると、出力部数が１部の設定ではコピーされた原稿が３枚出力され、出力部数が１０部の設定ではコピーされた原稿が３０枚出力される。
【００６３】
出力部数が１部であると設定されていれば、ダイレクトバス使用転送モードにする設定を行い（ステップＳ３０７）、転送モード選択の処理が終了する（ステップＳ３１３）。ここで、２枚の原稿を１部とし出力する場合のダイレクトバス使用転送モードについて図６を用いて説明する。図６は、ダイレクトバス使用転送モードの一例を示す概念図である。
【００６４】
まず、画像受付部２０により生成された両面の画像データは、第１受付バス８１を介して一方の面の画像データが受付制御部３０に転送されているときに、第１受付バス８１を介して他方の面の画像データも受付制御部３０に転送される。そして、受付制御部３０に転送された一方の面の画像データは、ダイレクトバス８６、出力制御部６０および第１出力バス８４を介して、画像出力部７０から出力される。
【００６５】
一方、受付制御部３０に転送された他方の面の画像データは、第２受付バス８２を介して制御部４０に転送される。その後、制御部４０に転送された他方の面の画像データは、ＣＰＵ４１の制御により一方の面の画像データの出力が終了するタイミングに合わせて、第２出力バス８５、出力制御部６０および第１出力バス８４を介して画像出力部７０から出力される。
【００６６】
次に、２枚目の両面の画像データは画像受付部２０により生成される。このとき、１枚目の両面の画像データの出力が終了する時期に合わせて、制御部４０のＣＰＵ４１により受付制御部３０が制御され、２枚目の画像データを読み込むタイミングが調整される。このように生成された２枚目の画像データは、第１受付バス８１を介して一方の面の画像データが受付制御部３０に転送されているときに、第１受付バス８１を介して他方の面の画像データも受付制御部３０に転送される。そして、受付制御部３０に転送された２枚目の一方の面の画像データは、ダイレクトバス８６、出力制御部６０および第１出力バス８４を介して、画像処理を行わず画像出力部７０から出力される。
【００６７】
一方、受付制御部３０に転送された２枚目の他方の面の画像データは、第２受付バス８２を介して制御部４０に転送される。その後、制御部４０に転送された他方の面の画像データは、ＣＰＵ４１の制御によりダイレクトバス８６からの画像データの出力が終了するタイミングに合わせて、第２出力バス８５、出力制御部６０および第１出力バス８４を介して画像出力部７０から出力される。
【００６８】
出力部数が複数部であると設定されていれば、図示省略した設定装置で設定された解像度レベルが取得される（ステップＳ３０８）。ステップＳ３０８の後、第２受付バス８２で転送が可能であるか否か、を判定する処理が実行される（ステップＳ３０９）。この判定の基準は、所定の解像度とその解像度を実現するために必要なデータ量とに基づいて予め求め、それをＲＯＭ４２内に記憶させておいたものを利用する。
【００６９】
ステップＳ３０９においては、受付制御部３０から制御部４０に画像データを転送する場合、第２受付バス８２を介して一方の面の画像データを転送しているときに、第２受付バス８２を介して他方の面の画像データも転送することが可能であるか否か、が判定される。
【００７０】
例えば、両面の画像データ量の和が３２bitであり、第２受付バス８２のバス幅が１６bitの場合、１回の転送では第２受付バス８２を介して両面の画像データを転送できないので、ステップＳ３０９の判定はＮＯとなる。一方、両面の画像データ量の和が８bitであり、第２受付バス８２のバス幅が１６bitの場合、第２受付バス８２を介して両面の画像データを１回の転送で転送できるので、ステップＳ３０９の判定はＹＥＳとなる。
【００７１】
第２受付バス８２で転送することが可能であれば、受付バス使用転送モードにする設定を行い（ステップＳ３０３）、転送モード選択の処理が終了する（ステップＳ３１３）。この場合の受付バス使用転送モードについて図４を用いて説明すると、画像受付部２０により生成された両面の画像データは、第１受付バス８１を介して一方の面の画像データが受付制御部３０に転送されているときに、第１受付バス８１を介して他方の面の画像データも受付制御部３０に転送される。
【００７２】
そして、受付制御部３０に転送された両面の画像データは、第２受付バス８２を介して一方の面の画像データが制御部４０に転送されているときに、第２受付バス８２を介して他方の面の画像データも制御部４０に転送される。その後、制御部４０に転送された画像データは、画像処理部４４で画像処理され記憶部５０に記憶される。次に、その記憶部５０に記憶された画像データは、第２出力バス８５、出力制御部６０および第１出力バス８４を介して、一方の面の画像データが転送された後に他方の面の画像データが順次画像出力部７０に転送され出力される。
【００７３】
一方、第２受付バス８２で転送することが可能でなければ、ステップＳ３１０に進む。ステップＳ３１０においては、図示省略した設定装置で設定された１部目を早く出力するか否か、を判定する処理が実行される。１部目を早く出力しない設定にされていれば、出力バス使用出力転送モードにする設定を行い（ステップＳ３１１）、転送モード選択の処理が終了する（ステップＳ３１３）。
【００７４】
ここで、出力バス使用出力転送モードについて図７を用いて説明する。図７は、出力バス使用出力転送モードの一例を示す概念図である。このモードの画像データの転送方法は、画像受付部２０で生成された両面の画像データが画像処理部４４で画像処理され記憶部５０に記憶されるまで、図５の出力バス使用モードと同じ転送方法である。そして、記憶部５０に記憶された画像データは、第２出力バス８５、出力制御部６０および第１出力バス８４を介して、一方の面の画像データが転送された後に他方の面の画像データが順次画像出力部７０に転送され出力される。
【００７５】
一方、１部目を早く出力する設定にされていれば、ダイレクト出力バス使用転送モードにする設定を行い（ステップＳ３１２）、転送モード選択の処理が終了する（ステップＳ３１３）。ここで、２枚の原稿を１部とし２部出力する場合のダイレクト出力バス使用転送モードについて図８を用いて説明する。図８は、ダイレクト出力バス使用転送モードの一例を示す概念図である。
【００７６】
まず、画像受付部２０により生成された１枚目の原稿の両面の画像データは、第１受付バス８１を介して一方の面の画像データが受付制御部３０に転送されているときに、第１受付バス８１を介して他方の面の画像データも受付制御部３０に転送される。そして、受付制御部３０に転送された１枚目の一方の面の画像データは、ダイレクトバス８６、出力制御部６０および第１出力バス８４を介して、画像出力部７０から出力される。
【００７７】
また、１枚目の一方の面の画像データは、ダイレクトバス８６、出力制御部６０および第２出力バス８５を介して制御部４０に転送される。ここで、一方の面の画像データが画像出力部７０および制御部４０に転送されるのは、出力制御部６０に一方の面の画像データをバッファリングできる図示省略したバッファメモリを備えているからである。
【００７８】
一方、受付制御部３０に転送された１枚目の他方の面の画像データは、第２受付バス８２を介して制御部４０に転送される。その後、制御部４０に転送された他方の面の画像データは、ＣＰＵ４１の制御により一方の面の画像データの出力が終了するタイミングに合わせて、第２出力バス８５、出力制御部６０および第１出力バス８４を介して画像出力部７０から出力される。
【００７９】
また、１枚目の他方の面の画像データは、接続バス８３を介して記憶部５０に転送される。ここで、他方の面の画像データが出力制御部６０および記憶部５０に転送されるのは、制御部４０に他方の面の画像データをバッファリングできる図示省略したバッファメモリを備えているからである。
【００８０】
次に、２枚目の両面の画像データは画像受付部２０により生成される。このとき、１枚目の両面の画像データの出力が終了する時期に合わせて、制御部４０のＣＰＵ４１により受付制御部３０が制御され、２枚目の画像データを読み込むタイミングが調整される。このように生成された２枚目の画像データは、第１受付バス８１を介して一方の面の画像データが受付制御部３０に転送されているときに、第１受付バス８１を介して他方の面の画像データも受付制御部３０に転送される。
【００８１】
そして、受付制御部３０に転送された２枚目の一方の面の画像データは、ダイレクトバス８６、出力制御部６０および第１出力バス８４を介して、画像出力部７０から出力される。また、２枚目の一方の面の画像データは、ダイレクトバス８６、出力制御部６０および第２出力バス８５を介して制御部４０に転送される。
【００８２】
一方、受付制御部３０に転送された２枚目の他方の面の画像データは、第２受付バス８２を介して制御部４０に転送される。その後、制御部４０に転送された他方の面の画像データは、ＣＰＵ４１の制御により一方の面の画像データの出力が終了するタイミングに合わせて、第２出力バス８５、出力制御部６０および第１出力バス８４を介して画像出力部７０から出力される。また、２枚目の他方の面の画像データは、接続バス８３を介して記憶部５０に転送される。
【００８３】
２部目は、記憶部５０に記憶された１枚目および２枚目の画像データを用いて、第２出力バス８５、出力制御部６０および第１出力バス８４を介して、順次画像出力部７０から出力される。なお、このとき制御部４０に転送された両面の画像データに対して画像処理を行なっておき、２部目からは画像処理された画像データを出力してもよい。
【００８４】
（２） 第２の実施形態  
第２の実施形態では、図３のステップＳ３１２で行われる処理を、第２の受付バス使用転送モードとする処理としてもよい。ここで、１枚の原稿を１部とし２部出力する場合の第２の受付バス使用転送モードについて図４を用いて説明する。まず、画像受付部２０により生成された両面の画像データは、第１受付バス８１を介して一方の面の画像データが受付制御部３０に転送されているときに、第１受付バス８１を介して他方の面の画像データも受付制御部３０に転送される。
【００８５】
そして、受付制御部３０に転送された一方の面の画像データは、第２受付バス８２を介して制御部４０に転送される。一方、他方の面の画像データは、一方の面の画像データが転送された後、第２受付バス８２を介して制御部４０に転送される。ここで、一方の面の画像データが転送された後に他方の面の画像データが転送されるのは、受付制御部３０に画像データをバッファリングできる図示省略したバッファメモリを備えているからである。
【００８６】
その後、制御部４０に転送された両面の画像データは、記憶部５０に転送され記憶される。また、制御部４０に転送された両面の画像データは、第２出力バス８５、出力制御部６０および第１出力バス８４を介して、制御部４０に転送された順に画像出力部７０に転送され出力される。ここで、画像データが出力制御部６０および記憶部５０に転送されるのは、制御部４０に画像データをバッファリングできる図示省略したバッファメモリを備えているからである。
【００８７】
２部目は、記憶部５０に記憶された画像データを用いて、順次画像出力部７０から出力される。この転送モードでは、画像データを記憶部５０に転送しながら他方で画像データを出力する。
【００８８】
（３） 第３の実施形態  
第３の実施形態は、図１の画像受付部２０の代わりに、ネットワーク等の通信手段や適当な電子記憶媒体から原稿両面の画像データを受け付ける機能を有する図示省略した画像受付部を備えた画像処理装置の例である。この例では、原稿を光学的に読み取って画像データを得るのではなく、ネットワーク等を伝送されてくる原稿両面の画像データを画像受付部で受け付け、それが受付制御部３０に転送される。他の構成や動作は、第１の実施形態の場合と同じである。また、図１の画像受付部２０に加えて、上述した画像受付部をさらに備えた画像処理装置としてもよい。
【００８９】
（４）第４の実施形態
図９は、転送モード選択処理手順の一例を示すフローチャートである。第４の実施形態は、図３のＳ３０８およびＳ３０９の処理をＳ３０２とＳ３０４の処理の間で行った場合である。第４の実施形態では、図示省略した設定装置で設定された画像処理モードがスキャンモードであっても、第２入力バス８２で両面の画像データが転送可能な場合、受付制御部３０に転送された両面の画像データが、第２受付バス８２を介して一方の面の画像データが制御部４０転送されているときに、第２受付バス８２を介して他方の面の画像データも制御部４０に転送される。
【００９０】
（５）第５の実施形態
第５の実施形態は、各バスがそれぞれ複数本のバスで構成されている画像処理装置である。このようにバスを増やすことによって画像データをさらに効率よく転送することができる。
【００９１】
以上のような実施形態の画像処理装置では、受付制御部３０に転送された一方の面の画像データは、第２受付バス８２を介して制御部４０に転送される。一方、受付制御部３０に転送された他方の面の画像データは、ダイレクトバス８６、出力制御部６０および第２出力バス８５を介して制御部４０に転送される。また、以上のような実施形態の画像処理装置では、受付制御部３０に転送された一方の面の画像データは、ダイレクトバス８６、出力制御部６０および第１出力バス８４を介して、画像出力部７０から出力される。一方、受付制御部３０に転送された他方の面の画像データは、第２受付バス８２を介して制御部４０に転送される。
【００９２】
さらに、以上のような実施形態の画像処理装置では、受付制御部３０に転送された一方の面の画像データは、ダイレクトバス８６、出力制御部６０および第１出力バス８４を介して、画像処理を行わず画像出力部７０から出力される。また、一方の面の画像データは、ダイレクトバス８６、出力制御部６０および第２出力バス８５を介して制御部４０に転送される。一方、受付制御部３０に転送された他方の面の画像データは、第２受付バス８２を介して制御部４０に転送される。
【００９３】
以上の例示の説明において、図３および図９に示すフローチャートを実行するためのプログラムやその他明細書中で説明した動作を実行するためのプログラムは、装置内のＲＯＭに記憶させておくだけではなく、その他の半導体メモリ、光ディスク記憶装置、磁気ディスク記憶装置、光磁気ディスク記憶装置等の適当な記憶媒体に記憶させて提供することができる。
【産業上の利用可能性】
【００９４】
本発明は、プリンタ、ＦＡＸ、複写機、これらの複合機といった画像処理装置に利用することができる。
【図面の簡単な説明】
【００９５】
【図１】発明を利用した画像処理装置の一例を示すブロック図である。
【図２】制御部の概要を示すブロック図である。
【図３】転送モード選択処理手順の一例を示すフローチャートである。
【図４】受付バス使用転送モードの一例を示す概念図である。
【図５】出力バス使用転送モードの一例を示す概念図である。
【図６】ダイレクトバス使用転送モードの一例を示す概念図である。
【図７】出力バス使用出力転送モードの一例を示す概念図である。
【図８】ダイレクト出力バス使用転送モードの一例を示す概念図である。
【図９】転送モード選択処理手順の一例を示すフローチャートである。
【符号の説明】
【００９６】
１０…画像処理装置、８２…第２受付バス、８４…第１出力バス、８５…第２出力バス、８６…ダイレクトバス。
【図１】
2008109291.tif 000003
【図２】
2008109291.tif 000004
【図３】
2008109291.tif 000005
【図４】
2008109291.tif 000006
【図５】
2008109291.tif 000007
【図６】
2008109291.tif 000008
【図７】
2008109291.tif 000009
【図８】
2008109291.tif 000010
【図９】
2008109291.tif 000011